(57)【要約】【課題】従来のような軒樋の施工手順に制約がなくなり、軒樋を省施工で取り付けることができると共に、下飾りと軒樋との間で連続した一体感が得られる結果、建物の軒先の外観をより向上させる。【解決手段】軒樋吊金具４の前面上端側に屋外側Ａに開口した前耳係止凹部１７を設け、軒樋吊金具４の下面後端側に屋外側Ａに開口した後耳係止用凹部１６を設け、軒樋吊金具４の下方に間隔をあけて下飾り３を取り付け、軒樋吊金具４の下面４ａと下飾り３の上面３ａとの間のスペース８内に軒樋２の上面開口２ｃを上方に向けた状態で軒樋２を屋外側Ａから挿入することで、上記スペース８内で軒樋２の底部２ｄが下飾り３の上面３ａに当接した状態で軒樋２の後耳部１２が後耳係止用凹部１６に係止され且つ軒樋２の前耳部１１が軒樋吊金具４の前耳係止凹部１７に係止される。【選択図】        図１
2004176367.tif 000002
【特許請求の範囲】
【請求項１】
軒先の鼻板又は外壁の前方に軒樋を配設し、軒樋の前壁下端部と鼻板又は外壁とのなすコーナー部分に軒樋の前壁下端部から鼻板又は外壁側に向けて下り傾斜するように傾斜した下飾りを配設する軒先化粧構造において、軒樋吊金具の前面上端側に屋外側に開口した前耳係止凹部を設け、軒樋吊金具の下面後端側に屋外側に開口した後耳部係止凹部を設け、軒樋吊金具の下方に間隔をあけて下飾りを取り付け、軒樋吊金具の下面と下飾りの上面との間のスペース内に軒樋の上面開口を上方に向けた状態で軒樋を屋外側から挿入することで、上記スペース内で軒樋の底部が下飾りの上面に当接した状態で軒樋の後耳部が後耳部係止凹部に係止され且つ軒樋の前耳部が軒樋吊金具の前耳係止凹部に係止されてなることを特徴とする軒先化粧構造。
【請求項２】
前記スペース内における後耳部係止凹部よりも手前側の軒樋吊金具の下面部分に、下方に向けてガイド部を突設し、ガイド部は軒樋の後耳部が設けられる後壁をガイド部と下飾りの上面との間で上下から圧縮して曲げた状態でガイドすることを特徴とする請求項１記載の軒先化粧構造。
【発明の詳細な説明】
【０００１】
【発明の属する技術分野】
本発明は、軒先化粧構造に関し、詳しくは下飾りを先付けし、軒樋を後付けする技術に関するものである。
【０００２】
【従来の技術】
一般に、軒樋は鼻板や外壁に取り付けるのであるが、軒樋が鼻板や外壁から突出して軒樋だけが屋外側に飛び出しているような状態となって、軒樋と鼻板或いは外壁との一体感が得られず、建物の軒先の外観が良くないという問題がある。
【０００３】
そこで、軒樋と外壁とのなすコーナー部分に下飾りを配設して、軒樋と外壁との一体感を現出するようにすることが提案されている。（例えば、特許文献１参照）
【０００４】
【特許文献１】
特開平８−９３１５７号公報
【０００５】
【発明が解決しようとする課題】
ところが、特許文献１では、軒樋の前壁下端部と下飾りの外面上端との間が大きく離れているため、軒樋と下飾りとの間で連続した一体感がなく、外観が低下する問題を有している。
【０００６】
そこで、本発明者は本発明に至る過程で、図２に示すように、鼻板１の屋外側に配設される軒樋２の前壁２ａ下端部と下飾り３の前面上端とを近接させることによって、軒樋２と下飾り３との間で連続した一体感を得ることにより、外観を向上させることを考えた。
【０００７】
しかし、下飾り３を取り付けた後で軒樋２を取り付ける場合にあっては、軒樋２の前耳部１１を軒樋吊金具４の前耳係止部１６に引っ掛けた状態で軒樋２を回して後耳部１２を軒樋吊金具４の後耳部係止部１７に取り付ける際に、下飾り３と干渉するため、軒樋２の取り付けができなくなる。そのため軒樋２は下飾り３よりも先に取り付ける必要があり、施工手順に制約が生じるという問題がある。
【０００８】
本発明は、上記の従来例の問題点に鑑みて発明したものであって、その目的とするところは、従来のような軒樋の施工手順に制約がなくなり、軒樋を省施工で取り付けることができると共に、下飾りと軒樋との間で連続した一体感が得られる結果、建物の軒先の外観をより向上させることができる軒先化粧構造を提供することにある。
【０００９】
【課題を解決するための手段】
上記課題を解決するために本発明にあっては、軒先の鼻板１又は外壁の前方に軒樋２を配設し、軒樋２の前壁２ａ下端部と鼻板１又は外壁とのなすコーナー部分に軒樋２の前壁２ａ下端部から鼻板１又は外壁側に向けて下り傾斜するように傾斜した下飾り３を配設する軒先化粧構造において、軒樋吊金具４の前面上端側に屋外側Ａに開口した前耳係止凹部１７を設け、軒樋吊金具４の下面後端側に屋外側Ａに開口した後耳係止用凹部１６を設け、軒樋吊金具４の下方に間隔をあけて下飾り３を取り付け、軒樋吊金具４の下面４ａと下飾り３の上面３ａとの間のスペース８内に軒樋２の上面開口２ｃを上方に向けた状態で軒樋２を屋外側Ａから挿入することで、上記スペース８内で軒樋２の底部２ｄが下飾り３の上面３ａに当接した状態で軒樋２の後耳部１２が後耳係止用凹部１６に係止され且つ軒樋２の前耳部１１が軒樋吊金具４の前耳係止凹部１７に係止されてなることを特徴としており、このように構成することで、軒樋２を下飾り３より後に取り付け可能となり、従来のように施工手順に制約がなくなり、しかも軒樋２をスペース８内に押し込むだけで省施工で取り付けができるようになる。
【００１０】
また前記スペース８内における後耳係止用凹部１６よりも手前側の軒樋吊金具４の下面４ａ部分に下方に向けてガイド部９を突設し、ガイド部９は軒樋２の後耳部１２が設けられる後壁２ｂをガイド部９と下飾り３の上面３ａとの間で上下から圧縮して曲げた状態でガイドするのが好ましく、この場合、軒樋２の後耳部１２が設けられる後壁２ｂをガイド部９の下端と下飾り３の上面３ａとの間で上下から圧縮して曲げる際に、後壁２ｂを無理なく曲げることができ、後耳部１２を後耳係止用凹部１６に係止させる作業を円滑に行なうことができると共に、係止後はガイド部９によって軒樋２の後耳部１２が後耳係止用凹部１６から脱落するのを防止できるようになる。
【００１１】
【発明の実施の形態】
以下、本発明を添付図面に示す実施形態に基づいて説明する。
【００１２】
本実施形態では、図１に示すように、軒先の鼻板１の屋外側Ａに軒樋２を配設し、軒樋２の前壁２ａ下端部と鼻板１とのなすコーナー部分に軒樋２の前壁２ａ下端部から鼻板１側に向けて下り傾斜するように傾斜した下飾り３を配設する軒先化粧構造を例示する。
【００１３】
軒樋２は、前壁２ａの上端部に前耳部１１が設けられ、後壁２ｂの上端部に後耳部１２が設けられている。軒樋２の前壁２ａ下端部には、内側に向かって逆Ｌ字状に凹んだ溝条部１３が形成されており、この溝条部１３が下飾り３の前面上端部と連続して配置されるようになっている。
【００１４】
軒樋２を保持する軒樋吊金具４は、軒樋吊金具本体１４の後端部に鼻板１に固定される固定プレート１５が設けられ、軒樋吊金具本体１４の前面上端部に軒樋２の前耳部１１を係止する前耳係止凹部１７が設けられ、軒樋吊金具本体１４の下面４ａ後端部に近い固定プレート１５の前面部分には軒樋２の後耳部１２を係止する後耳係止用凹部１６が設けられている。前耳係止凹部１７は屋外側Ａに向けて開口し、後耳係止用凹部１６もまた屋外側Ａに向けて開口している。固定プレート１５の後耳係止用凹部１６の下方には軒樋２の後壁２ｂに当たる凸部１０が突設され、凸部１０によって軒樋２の後耳部１２のがたつき防止が図られている。
【００１５】
一方、下飾り３は、軒樋２の長手方向に沿うように長尺状に形成されている。ここでは下飾り３は鼻板１に対して直接、取り付けられてもよいが、飾り吊金具を鼻板１に固定し、この飾り吊金具に下飾り３を係止させるようにしてもよく、下飾り３の構造は特に問わない。
【００１６】
下飾り３の上面３ａは水平面となっており、軒樋吊金具４の下面４ａと下飾り３の上面３ａとの間には、屋外側Ａに向けてコ字状に開口したスペース８が設けられている。このスペース８内における後耳係止用凹部１６よりも手前側の軒樋吊金具４の下面４ａ部分には下方に向けてガイド部９が突設されている。ガイド部９は、軒樋２の後耳部１２が設けられる後壁２ｂをガイド部９と下飾り３の上面３ａとの間で上下から圧縮して曲げた状態でガイドするものであり、本例では、ガイド部９の下面は奥側にいく程下方に傾斜している。ここでスペース８の高さは、軒樋２の底部２ｄから後耳部１２の上端までの高さとほぼ等しくされ、下飾り３の上面３ａからガイド部９の下端までの高さは、軒樋２の底部２ｄから後耳部１２の上端までの高さよりも低く設定されている。
【００１７】
しかして、下飾り３を先付けし、軒樋２を後付けする場合において、図１（ａ）のように、軒樋２の上面開口２ｃを上方に向けた状態で軒樋２を前方から平行方向にスペース８に差し込む。このとき、図１（ｂ）のように軒樋２の後耳部１２が設けられる後壁２ｂがガイド部９と下飾り３の上面３ａとの間で上下から圧縮されて曲げられた状態となり、ガイド部９を過ぎると曲げられた後壁２ｂが元の伸びた状態に復帰して、図１（ｃ）のように後耳部１２が後耳係止用凹部１６に係止された状態となる。またこのとき軒樋２の前耳部１１は軒樋吊金具４の前耳係止凹部１７に係止された状態となり、軒樋２の取り付けが完了する。
【００１８】
従って、軒樋２の後付けが可能となる。もちろん、軒樋２を先付けしてから、下飾り３を後付けすることも可能である。これにより軒樋２の施工手順に制約がなくなり、しかも軒樋２をスペース８内に押し込むだけで省施工で取り付けができるようになる。さらに、軒樋２の前壁２ａ下端に溝条部１３を設け、この溝条部１３を下飾り３の前面と連続して配置したので、軒樋２と下飾り３との間で連続した一体感が得られる結果、建物の軒先の外観をより向上させることができる。
【００１９】
また本例では、ガイド部９は奥側にいく程下方に向かって緩やかに下り傾斜しているので、軒樋２の後壁２ｂをスムーズに押し込むことができ、軒樋２の後壁２ｂを無理なく曲げることができ、後耳部１２を後耳係止用凹部１６に係止させる作業を円滑に行なうことができると共に、係止後はガイド部９によって軒樋２の後耳部１２が後耳係止用凹部１６から脱落するのを防止できるという利点もある。
【００２０】
【発明の効果】
上述のように請求項１記載の発明にあっては、軒先の鼻板又は外壁の前方に軒樋を配設し、軒樋の前壁下端部と鼻板又は外壁とのなすコーナー部分に軒樋の前壁下端部から鼻板又は外壁側に向けて下り傾斜するように傾斜した下飾りを配設する軒先化粧構造において、軒樋吊金具の前面上端側に屋外側に開口した前耳係止凹部を設け、軒樋吊金具の下面後端側に屋外側に開口した後耳部係止凹部を設け、軒樋吊金具の下方に間隔をあけて下飾りを取り付け、軒樋吊金具の下面と下飾りの上面との間のスペース内に軒樋の上面開口を上方に向けた状態で軒樋を屋外側から挿入することで、上記スペース内で軒樋の底部が下飾りの上面に当接した状態で軒樋の後耳部が後耳部係止凹部に係止され且つ軒樋の前耳部が軒樋吊金具の前耳係止凹部に係止されてなるので、軒樋を下飾りより後に取り付け可能となり、従来のように施工手順に制約がなくなり、しかも軒樋をスペース内に押し込むだけで省施工で取り付けができると共に、軒樋と下飾りとの間で連続した一体感が得られ、建物の軒先の外観をより向上させることができる。
【００２１】
また請求項２記載の発明にあっては、請求項１記載の効果に加えて、前記スペース内における後耳部係止凹部よりも手前側の軒樋吊金具の下面部分に下方に向けてガイド部を突設し、ガイド部は軒樋の後耳部が設けられる後壁をガイド部と下飾りの上面との間で上下から圧縮して曲げた状態でガイドするようにしたので、軒樋の後耳部が設けられる後壁をガイド部の下端と下飾りの上面との間で上下から圧縮して曲げる際に、後壁を無理なく曲げることができ、後耳部を後耳部係止凹部に係止させる作業を円滑に行なうことができると共に、係止後はガイド部によって軒樋の後耳部が後耳部係止凹部から脱落するのを防止でき、施工性の信頼性を高めることができる。
【図面の簡単な説明】
【図１】（ａ）〜（ｃ）は本発明の実施形態の一例を示す軒樋の取り付け手順を説明する側面図である。
【図２】従来の軒樋の取り付けを説明する側面図である。
【符号の説明】
１  鼻板
２  軒樋
２ａ  前壁
２ｂ  後壁
２ｃ  上面開口
２ｄ  底部
３  下飾り
３ａ  上面
４  軒樋吊金具
４ａ  下面
８  スペース
９  ガイド部
１１  前耳部
１２  後耳部
１６  後耳係止凹部
１７  前耳係止凹部
Ａ  屋外側
【図１】
2004176367.tif 000003
【図２】
2004176367.tif 000004